(57)【特許請求の範囲】
【請求項１】
被収容物と、
前記被収容物の回りに矩形の包材を折り込んで形成され、前記被収容物を包み込む外被とからなり、
前記外被は、前記包材における外周縁の重ね合わせにより、その内部を閉空間に形成するシームラインを含むソフトパッケージであって、
前記シームラインは、
前記被収容物の胴回りに前記包材を胴巻きした後に前記包材の両側端縁同士を重ね合わせて形成され、前記ソフトパッケージの上下方向に延びる縦シームと、
前記包材の上端縁同士を重ね合わせて形成され、前記ソフトパッケージの上面に位置付けられ且つ前記ソフトパッケージの幅方向に沿って延びる上部横シームと、
前記包材の下端縁同士を重ね合わせて形成され、前記ソフトパッケージの下面に位置付けられ且つ前記ソフトパッケージの幅方向に沿って延びる下部横シームと
を含み、
前記縦シーム、上部横シーム及び下部横シームは、合掌貼りの形態を有するとともに、ヒートシールによって得られた縦シール、上部横シール及び下部横シールであり、
前記ソフトパッケージは、前記外被と前記被収容物との間にインナフレームを更に含んでおり、
前記インナフレームは、前記被収容物を囲む断面Ｕ字形状をなし、背面壁、両側面壁及び開放面を有しており、
前記縦シームは、前記インナフレームの前記開放面に覆う前記外被の部位に設けられ、一方の前記側面壁近傍に位置付けられていることを特徴とするソフトパッケージ。
【請求項２】
前記ソフトパッケージの外被は、その上部にて前記被収容物の胴回りに形成された分離帯を含むことを特徴とする請求項１に記載のソフトパッケージ。
【請求項３】
前記ソフトパッケージの外被は、前記分離帯の内面に開封テープを備え、前記開封テープの一端が前記外被から突出していることを特徴とする請求項２に記載のソフトパッケージ。
【発明の詳細な説明】
【技術分野】
【０００１】
本発明は、パッケージに関し、より詳しくは、ソフトパッケージに関する。
【背景技術】
【０００２】
被収容物を収容する包装容器としては、被収容物の性質を考慮し、種々のものが開発されている。被収容物が、例えば、フィルタシガレットやシガレット等のたばこ商品である場合、その包装容器としては、ヒンジリッド型のハードパッケージが多用されている。
このハードパッケージは、通常、被収容物であるたばこ商品がすべて消費されると、廃棄される。しかしながら、このハードパッケージは、製造コストが比較的高いので、例えば、特許文献１に示されるタバコ容器のように、ハードパッケージを再利用することが考えられている。
【０００３】
特許文献１に示されるタバコ容器は、従来公知のヒンジリッド型ハードパッケージである再利用可能なボックス４に、タバコ商品を収容した箱３が収容されている。そして、タバコ商品が無くなると箱３がボックス４に詰め替えられる。
この箱３は、外側パッケージ７を有しており、この外側パッケージ７は、空気を通さない外側包装材９により更に包み込まれている。
【特許文献１】特表２００５−５２２３８６号公報
【発明の開示】
【発明が解決しようとする課題】
【０００４】
ところで、従来公知のタバコ容器において、詰替用のタバコ商品は、箱３、外側パッケージ７および外側包装材９により三重に包装されており、過剰包装であると考えられる。近年の省資源化の流れからすると、過剰包装は控え、包装を簡略化することが望まれており、特にフィルム包装は省略することが好ましい。
しかしながら、フィルム包装は、大気の影響、例えば、湿気や環境下の不快なにおい等がパッケージ内部に収容されている被収容物に及ばないように、密封性を保持するためになされているので、このフィルム包装を省略するとパッケージ内の被収容物の品質が低下するおそれがある。
【０００５】
本発明は、上記の事情に基づいてなされたものであり、その目的とするところは、フィルム包装を省略することができる詰替用ソフトパッケージを提供することにある。
【課題を解決するための手段】
【０００６】
上記目的を達成するために、本発明のソフトパッケージは、被収容物と、前記被収容物の回りに矩形の包材を折り込んで形成され、前記被収容物を包み込む外被とからなり、前記外被は、前記包材における外周縁の重ね合わせにより、その内部を閉空間に形成するシームラインを含むソフトパッケージであって、前記シームラインは、前記被収容物の胴回りに前記包材を胴巻きした後に前記包材の両側端縁同士を重ね合わせて形成され、前記ソフトパッケージの上下方向に延びる縦シームと、前記包材の上端縁同士を重ね合わせて形成され、前記ソフトパッケージの上面に位置付けられ且つ前記ソフトパッケージの幅方向に沿って延びる上部横シームと、前記包材の下端縁同士を重ね合わせて形成され、前記ソフトパッケージの下面に位置付けられ且つ前記ソフトパッケージの幅方向に沿って延びる下部横シームとを含み、前記縦シーム、上部横シーム及び下部横シームは、合掌貼りの形態を有するとともに、ヒートシールによって得られた縦シール、上部横シール及び下部横シールであり、前記ソフトパッケージは、前記外被と前記被収容物との間にインナフレームを更に含んでおり、前記インナフレームは、前記被収容物を囲む断面Ｕ字形状をなし、背面壁、両側面壁及び開放面を有しており、前記縦シームは、前記インナフレームの前記開放面に覆う前記外被の部位に設けられ、一方の前記側面壁近傍に位置付けられていることを特徴とする。
【０００９】
また、前記ソフトパッケージの外被は、その上部にて前記被収容物の胴回りに形成された分離帯を含むことを特徴とする。
【００１０】
また、前記ソフトパッケージの外被は、前記分離帯の内面に開封テープを備え、前記開封テープの一端が前記外被から突出していることを特徴とする。
【発明の効果】
【００１１】
本発明によれば、パッケージは、包材における外周縁の重ね合わせにより、その内部を閉空間に形成するシームラインを含む外被により被収容物を包み込んでいるので、密封性が高く、被収容物の品質低下を抑えることができる。そのため、フィルム包装を省略することができ、省資源化に貢献できる。
また、本発明によれば、パッケージは、縦シーム、上部横シーム及び下部横シームにより三方がシールされ、パッケージ内の密封性が高められており、被収容物の品質維持が図れる。
【００１２】
また、本発明によれば、包材の端部を合掌貼りしているのでパッケージの密封性の向上が図れる。
また、本発明によれば、縦シーム、上部横シーム及び下部横シームは、ヒートシールによって得られた縦シール、上部横シール及び下部横シールとしてパッケージを形成しているので、容易にパッケージを製造でき、生産効率の向上が図れる。
【００１３】
また、本発明によれば、パッケージ内にインナフレームが含まれているので、パッケージの外部から圧縮力が加えられた際に被収容物を保護することができる。また、パッケージの成形性の向上にも寄与する。
また、本発明によれば、インナフレームを比較的簡便に形成することができるので、被収容物の保護性に優れたパッケージの生産効率の向上が図れる。
【００１４】
また、本発明によれば、縦シームがインナフレームの開放面に対応する外被の部位に位置付けられている。これにより、外被が二重になっている縦シームの部分によりインナフレームの開放面に位置する被収容物の保護性の向上が図れる。
また、本発明によれば、パッケージの上部に分離帯が存在するので、パッケージを簡単に開封でき、パッケージの開封性が向上する。
【００１５】
また、本発明によれば、分離帯の内面に開封テープが存在するので、かかる開封テープを引き剥がすことにより、分離帯は容易に切り離されていきパッケージの開封性が更に向上する。
【発明を実施するための最良の形態】
【００１６】
以下、本発明に係るソフトパッケージの実施の形態を図面を参照して説明する。
図１〜３は、一実施例の詰替用ソフトパッケージを示す。
このパッケージ２は、略直方体形状をなし、被収容物であるたばこ商品４の集合体と、この集合体を包み込む外被１６とからなる。この場合、パッケージ２内のたばこ商品４は、具体的には、長さが８５ｍｍのキングサイズのフィルタシガレットであり、その本数は２０本である。
【００１７】
たばこ商品４の集合体は、インナフレーム６により一纏めにされて商品束単位１４となっている。
インナフレーム６は、たばこ商品４の長さと同じサイズの高さ寸法を有し、略Ｕ字形状をなしており、矩形状の背面壁１０と、背面壁１０に直交するようにその両側縁に連結された、矩形状の側面壁１２，１２とを有する。インナフレーム６は、たばこ商品４の集合体を、その背部および両側部の三方にて囲い、たばこ商品４の商品束単位１４を形成している。このインナフレーム６は、たばこ商品４を保護するとともに、パッケージ２の成形性を高める働きをする。
【００１８】
外被１６は、包材８を商品束単位１４の回りに折り込むことにより形成される。より詳しくは、矩形形状をなす包材８が、先ず、商品束単位１４の胴回りに沿って巻き付けられ、そして、図４に示すように、商品束単位１４の前面にて、その両端縁を合掌形態で重ね合わした縦シール１８が形成される。このような縦シール１８は、包材８の上下方向全域に亘って延び、この後、縦シール１８は商品束単位１４の一方の側面に向けて折り込まれ（図４中矢印Ａ方向）、上述の巻き付けにより形成された外被１６の前面２０に重ね合わされる。
【００１９】
上述した縦シール１８が形成されると、包材８は商品束単位１４の上下方向にそれぞれ突出する突出部位３６を形成する。これら突出部位３６はその両側部でのガセット折りを経て、対応する商品束単位１４の上面及び下面を覆うべく折り込まれ、外被１６の上面２２及び下面２４をそれぞれ形成する。ここでの折込みは、図５に示すように、この外被１６の上面２２の中央にて合掌形態で重ね合わせた上部横シール２６を形成し、この上部横シール２６は外被１６の上面全域に亘って、その幅方向に延びている。この後上部横シール２６は、背面２８に向け（図５中矢印Ｂ方向）折り込まれることで、外被１６の上面２２に重ね合わされる。一方、外被１６の下面２４においても同様な折込みがなされ、下部横シール３０が形成される。そして、下部横シール３０も背面２８に向け（図５中矢印Ｂ方向）折り込まれることで外被１６の下面２４に重ね合わされる。このようにしてパッケージ２の成形が完了する。
【００２０】
更に詳しくは、上述した縦シール１８は、外被１６の前面２０上において、一方の側面４０寄りの位置に位置付けられるべくパッケージ２に配置され、上部横シール２６からパッケージ２の上下方向全域に亘って縦断し、そして、下部横シール３０まで延びている。なお、縦シール１８の上下の両端部は、上部横シール２６および下部横シール３０とオーバラップした状態にある。
【００２１】
また、図１から明らかなように、パッケージ２は、その胴回りに分離帯３２を備えており、この分離帯３２の内面には開封テープ３４が貼り付けられて設けられている。
分離帯３２は、外被１６の上面２２から下方へ僅かに下がった位置に位置付けられ、一対の分離線３８，３８で挟まれた領域により形成されている。この分離線３８は、包材８に脆弱層を設けることにより形成される。分離線３８を穿孔列で形成すると、パッケージ２の密封性が損なわれるおそれがあるので、パッケージ２の分離線に穿孔列は採用しない。
【００２２】
開封テープ３４は、分離帯３２より幅が短かく、その先端３４ａが縦シール１８の先端縁に形成した切欠部位１８ａから露出されている。
図６は、包材８の内面側を示した展開図である。包材８は、略矩形状をなしており、図６中の２点鎖線は、商品束単位１４が内包材８により包み込まれたとき、包材８に形成される折込み線を示している。この展開図から明らかなように、折込み線により区画された包材８の各領域は前述した外被１６の各部を形成する。更に、包材８はその内面が熱溶着性フィルムにより形成されており、この熱溶着性フィルムは前述した縦シール１８、上部横シール２６及び下部横シール３０の形成を可能とする。
【００２３】
より詳しくは、包材８の各領域には、外被１６の前面２０の一部となる下部前面領域４４、この下部前面領域４４の図６中右側に順次位置し、外被１６の側面４２となる下部側面領域４６、外被１６の背面２８となる下部背面領域４８、外被１６の側面４０となる下部側面領域５０、外被１６の前面２０となる下部前面領域５２が含まれている。
更に、領域４４，４６，４８，５０，５２の下側には、外被１６の下面２４となる下面領域５４，５６，５８，６０，６２がそれぞれ位置している。
【００２４】
一方、領域４４，４６，４８，５０，５２はそれらの上側に分離帯３２となる分離帯領域６４を有し、この分離帯領域６４に開封テープ３４が接着されている。
更に、分離帯領域６４の上側、即ち、４４，４６，４８，５０，５２の上側には、外被１６の上面２２となる上面領域７６，７８，８０，８２，８４がそれぞれ位置している。
前述の説明から明らかなように、領域５４，４４，７６の図６中左側に位置する左端部１８ａと、領域６２，５２，８４の図６中右側に位置する右端部１８ｂは互いに重ね合わされ、ヒートシールにより縦シール１８を形成する。
【００２５】
また、図６から明らかなように、包材８の上端縁においては、領域７６，７８，８０，８２，８４の上端部２６ａが互いに重ね合わされ、ヒートシールにより上部横シール２６を形成する。更に、包材８の下端縁においても、領域５４，５６，５８，６０，６２の下端部３０ａが互いに重ね合わされ、ヒートシールにより下部横シール３０を形成する。
なお、上部及び下部横シール２６，３０は、縦シール１８の上端部および下端部をそれぞれ含んでいる。また、下面領域５６，６０および上面領域７８，８２内の２点鎖線は、これら領域５６，６０，７８，８２にて前述のガセット折りがなされることを示す。
【００２６】
このパッケージ２を購入した消費者は、まず、開封テープ３４の先端３４ａをつまんで引き剥がしていく。これにより、分離帯３４が切り離され、分離帯３４より上部の外被１６の部分が除去され、図３に示すように、パッケージ２が開封される。開封されたパッケージ２は、直方体状のハードケースとして採用する従来公知のヒンジリッド型のハードパッケージ８６に詰め替えられる。より詳しくは、図７に示すように、パッケージ２は、ハードパッケージ８６の上部開口端８８からハードパッケージ８６内に挿入される。このようにして、ハードパッケージ８６に対し、たばこ商品４の詰め替えが行われる。
【００２７】
たばこ商品４が詰め替えられたハードパッケージ８６においては、リッド９０を閉じることにより、たばこ商品４を格納できる。また、たばこ商品４を取り出す場合、消費者は、リッド９０を開き、上部開口端８８よりたばこ商品４を取り出す。
たばこ商品４がすべて消費された場合、空のパッケージ２を廃棄し、上述したのと同じ手順で新たなパッケージ２をハードパッケージ８６に詰め替える。このように本実施例に係るパッケージ２は、ハードパッケージ８６を再利用することができる。また、本実施例のパッケージ２によれば、包材８はその内面に熱溶着性フィルムを有し、そして、包材８からなる外被１６のシームラインが縦シール１８、上部横シール２６及び下部横シール３０により形成されていることから、パッケージ２の密封性は高く、外装フィルムを省略することができ、省資源化の要請に応えることができる。
【００２８】
また、合掌貼り形態の縦シール１８、上部横シール２６及び下部横シール３０は、そのヒートシール時、たばこ商品４への熱影響を少なくでき、包材８の端部の内面と外面とを重ね合わせるような他の貼り合わせ形態のシールに比べて優れたものとなる。
なお、縦シール１８、上部横シール２６及び下部横シール３０は、接着剤による接着により形成しても構わない。
【００２９】
更に、本実施例においては、ハードパッケージ８６としては、紙製のヒンジリッド型ハードパッケージを採用したが、詰替用ソフトパッケージ２を詰め替えるハードケースとしては、特に限定されるものではなく、カード紙、マニラボール紙等により製造された従来公知のヒンジリッド型ハードパッケージの他、プラスチック材料、金属材料等により製造されたハードケースを採用しても構わない。
【００３０】
本発明は上述した一実施例に制約されるものではなく、種々の変形が可能である。例えば、本実施例では、キングサイズのたばこ商品の２０本の商品束単位１４を１個収容するタイプについて説明したが、長さが９５ｍｍ程度のスーパーキングサイズのたばこ商品２０本を収容する商品束単位１個を収容するタイプに適用しても構わない。また、本実施例においては、詰替用のソフトパッケージについて説明したが、本発明に係るソフトパッケージは、この態様に限定されるものではなく、ハードケースに収容せず、ソフトパッケージのまま使用することもできる。更に、収容できる商品としては、たばこ商品に限定されるものではなく、お菓子などの食品等他の商品であってもよく、本発明のソフトパッケージは、これら商品のパッケージとしても適用することができる。
【図面の簡単な説明】
【００３１】
【図１】実施例に係る詰替用ソフトパッケージの開封前の状態を示す斜視図である。
【図２】実施例に係る詰替用ソフトパッケージの開封前の状態を後方下側よりみた斜視図である。
【図３】実施例に係る詰替用ソフトパッケージの開封後の状態を示す斜視図である。
【図４】実施例に係る詰替用ソフトパッケージの包材にて縦シールが形成されている状態を示す斜視図である。
【図５】実施例に係る詰替用ソフトパッケージの包材にて上部横シール及び下部横シールが形成されている状態を示す斜視図である。
【図６】包材の展開図である。
【図７】実施例に係る詰替用ソフトパッケージをハードパッケージに詰め替える状態を示す斜視図である。
【符号の説明】
【００３２】
２            パッケージ
４            たばこ商品
６            インナフレーム
８            包材
１０          背面壁
１２          側面壁
１４          商品束単位
１６          外被
１８          縦シール
２０          前面
２２          上面
２４          下面
２６          上部横シール
２８          背面
３０          下部横シール
３２          分離帯
３４          開封テープ
３６          突出部位
３８          分離線
４０          側面
４２          側面
８６          ハードパッケージ
８８          上部開口端
９０          リッド
【図１】
0005240441.tif 000002
【図２】
0005240441.tif 000003
【図３】
0005240441.tif 000004
【図４】
0005240441.tif 000005
【図５】
0005240441.tif 000006
【図６】
0005240441.tif 000007
【図７】
0005240441.tif 000008